(57)【要約】【課題】本発明は、優れた着用感と高い吸収性能とを兼ね備えた吸収性物品を提供するものである。【解決手段】本発明の吸収性物品（１）は、長手方向及び幅方向を有する縦長の本体部（２）が、吸収性物品（１）の長手方向の前方側端縁部（５）と後方側端縁部（６）との間に、第１領域（Ａ１）、第２領域（Ａ２）、第３領域（Ａ３）及び第４領域（Ａ４）を有していて、前記第４領域（Ａ４）が少なくとも長手方向に伸長可能である伸長領域（Ｅ４）を含み、前記第２領域（Ａ２）が前記伸長領域（Ｅ４）よりも低い伸長率を有する又は非伸長である低伸長領域（Ｎ２）を含み、さらに、前記低伸長領域（Ｎ２）が、平面視にて少なくとも幅方向中央軸線（ＣＬ）の両側において前記本体部（２）の長手方向に延在し且つ他の部分よりも高密度の底部を有する複数の線状凹部（Ｐ、Ｐ’）を備えている。【選択図】図１
2017119052.tif 000002
【特許請求の範囲】
【請求項１】
長手方向及び幅方向を有する縦長の本体部と、該本体部の長手方向の両側に延在する一対のフラップ部と、該一対のフラップ部の各々に配置された、長手方向に延びる一対の着衣固定用の粘着部と、を備えた吸収性物品であって、
前記本体部は、
吸収性物品の着用時に着用者の前方側に位置する長手方向の前方側端縁部と、
吸収性物品の着用時に着用者の後方側に位置する長手方向の後方側端縁部と、
平面視にて、前記一対の粘着部の長手方向における両端部のうち前記前方側端縁部に対して近位側に位置する一対の第１端部を含む第１仮想直線と前記前方側端縁部との間に延在する第１領域と、
前記一対の粘着部の各々の長手方向中央部を含む第２仮想直線と前記第１仮想直線との間に延在する第２領域と、
前記一対の粘着部の長手方向における両端部のうち前記後方側端縁部に対して近位側に位置する一対の第２端部を含む第３仮想直線と前記第２仮想直線との間に延在する第３領域と、
前記第３仮想直線と前記後方側端縁部との間に延在する第４領域と、を有していて、
前記第４領域は、少なくとも長手方向に伸長可能である伸長領域を含み、
前記第２領域は、平面視にて前記本体部の長手方向に延びる幅方向中央軸線を跨って延在し且つ前記伸長領域よりも低い伸長率を有する又は非伸長である低伸長領域を含み、
さらに、前記低伸長領域は、平面視にて少なくとも前記幅方向中央軸線の両側において前記本体部の長手方向に延在し且つ他の部分よりも高密度の底部を有する複数の線状凹部を備えている、
前記吸収性物品。
【請求項２】
前記第３領域は、前記第２領域の前記低伸長領域から延びる低伸長領域と、当該低伸長領域に対して前記本体部の長手方向の両側に位置し且つ前記第４領域の前記伸長領域から延びる伸長領域と、を有し、さらに、前記第３領域における前記低伸長領域は、前記第２領域における前記低伸長領域の前記複数の線状凹部の各々から延びる複数の線状凹部を有する、請求項１に記載の吸収性物品。
【請求項３】
前記第１領域は、前記第２領域の前記低伸長領域から延びる低伸長領域を含む、請求項１又は２に記載の吸収性物品。
【請求項４】
前記第４領域は、前記後方側端縁部と前記伸長領域との間に位置する前記低伸長領域を含む、請求項１〜３のいずれか一項に記載の吸収性物品。
【請求項５】
前記本体部は、厚さ方向の肌面側に位置する液透過性の表面シートと、厚さ方向の非肌面側に位置する液不透過性の裏面シートと、これら各シートの間に位置し且つ前記第１領域から前記第４領域に亘って延在する吸収体と、を備え、前記吸収体は、前記伸長領域において前記本体部の幅方向に延びる複数のスリット部を有する、請求項１〜４のいずれか一項に記載の吸収性物品。
【請求項６】
前記複数のスリット部は、平面視にて、前記本体部の長手方向に隣接するスリット部同士が前記長手方向において一部重複するように配置されている、請求項５に記載の吸収性物品。
【請求項７】
前記吸収体は、前記伸長領域において、前記複数のスリット部が存在するスリット部存在領域と、スリット部が存在しないスリット部非存在領域と、を有し、さらに、前記スリット部非存在領域は、平面視にて、前記吸収体の幅方向の一端から他端に向けて前方側に延びる第１非存在領域と、前記第１非存在領域と交差し且つ前記吸収体の幅方向の一端から他端に向けて後方側に延びる第２非存在領域とを有していて、前記スリット部存在領域は、前記第１非存在領域と前記第２非存在領域とによって囲まれた領域に存在する、請求項５又は６に記載の吸収性物品。
【請求項８】
前記表面シートは、前記伸長領域において、前記幅方向に延び且つ前記長手方向に所定間隔で並ぶ複数本の直線状の凸条部と、隣り合う凸条部の間に位置し且つ前記幅方向に延びる複数本の直線状の凹溝部とによって構成された伸長可能な凹凸構造を有する、請求項５〜７のいずれか一項に記載の吸収性物品。
【請求項９】
前記裏面シートは、前記伸長領域において前記本体部の長手方向に延在する蛇腹構造を有する、請求項５〜８のいずれか一項に記載の吸収性物品。
【請求項１０】
前記裏面シートは、少なくとも前記第２領域において略平坦な構造を有している、請求項５〜９のいずれか一項に記載の吸収性物品。
【発明の詳細な説明】
【技術分野】
【０００１】
本発明は、生理用ナプキン、パンティライナー、失禁パッド等の吸収性物品に関する。
【背景技術】
【０００２】
生理用ナプキン、パンティライナー、失禁パッド等の吸収性物品は、着用者の股間部に接触しながら着用されるものであるため、着用者に違和感や不快感を生じさせないように、着用者の身体形状に倣って変形しやすい（すなわち、フィット性に優れた）吸収性物品が検討されている。
【０００３】
そのような吸収性物品として、例えば、特許文献１には、吸収層を備えた吸収性物品であって、前記吸収層が複数のスリット又は局所的な伸長によって形成された伸展性ゾーンを有する、前記吸収性物品が提案されている。この特許文献１に開示された吸収性物品によれば、吸収性物品の着用者に対する身体適合性（すなわち、フィット性）を改善することができるとされている。
【先行技術文献】
【特許文献】
【０００４】
【特許文献１】特表２００７−５２３６６５号公報
【発明の概要】
【発明が解決しようとする課題】
【０００５】
この特許文献１に開示された吸収性物品は、着用者の動作態様に応じて伸展性ゾーンが配置されておらず、当該伸展性ゾーンは、吸収性物品の長手方向の前方側領域から長手方向の後方側領域に亘って設けられている。しかしながら、着用者に着用された吸収性物品は、着用者が歩行等の動作を行うと、着用者の臀部が左右交互に動くことによって、着用者の臀部に対応する長手方向の後方側領域において、吸収性物品の長手方向を軸として捩じれる方向に力が加わるため、上述の特許文献１のように伸展性ゾーンが配置されていると、前記後方側領域における捩じれ方向の力が着用者の排泄口に対応する（或いは接触する）領域にまで伝達されてしまい、それにより当該排泄口に対応する領域が変形して、着用者に異物感や違和感等を生じさせ、着用感を損ねる虞があった。
また、特許文献１に開示された吸収性物品のように、吸収体がスリット等によって伸長可能に構成されていると、当該吸収体の吸収性能（特に、スリット等によって伸長可能に構成された部分の吸収性能）は低下するのが通常である。ところが、特許文献１に開示された吸収性物品では、吸収体の吸収性能について具体的に考慮されていないため、着用者の動作態様や着用時間等によっては、吸収体の吸収性能が十分に発揮されず、着用者から排出された排泄液の漏洩や液戻り（リウェット）等が生じる虞があった。
【０００６】
そこで、本発明は、優れた着用感と高い吸収性能とを兼ね備えた吸収性物品を提供することを目的とする。
【課題を解決するための手段】
【０００７】
本発明の一態様（態様１）に係る吸収性物品は、長手方向及び幅方向を有する縦長の本体部と、該本体部の長手方向の両側に延在する一対のフラップ部と、該一対のフラップ部の各々に配置された、長手方向に延びる一対の着衣固定用の粘着部と、を備えた吸収性物品であって、前記本体部は、吸収性物品の着用時に着用者の前方側に位置する長手方向の前方側端縁部と、吸収性物品の着用時に着用者の後方側に位置する長手方向の後方側端縁部と、平面視にて、前記一対の粘着部の長手方向における両端部のうち前記前方側端縁部に対して近位側に位置する一対の第１端部を含む第１仮想直線と前記前方側端縁部との間に延在する第１領域と、前記一対の粘着部の各々の長手方向中央部を含む第２仮想直線と前記第１仮想直線との間に延在する第２領域と、前記一対の粘着部の長手方向における両端部のうち前記後方側端縁部に対して近位側に位置する一対の第２端部を含む第３仮想直線と前記第２仮想直線との間に延在する第３領域と、前記第３仮想直線と前記後方側端縁部との間に延在する第４領域と、を有していて、前記第４領域は、少なくとも長手方向に伸長可能である伸長領域を含み、前記第２領域は、平面視にて前記本体部の長手方向に延びる幅方向中央軸線を跨って延在し且つ前記伸長領域よりも低い伸長率を有する又は非伸長である低伸長領域を含み、さらに、前記低伸長領域は、平面視にて少なくとも前記幅方向中央軸線の両側において前記本体部の長手方向に延在し且つ他の部分よりも高密度の底部を有する複数の線状凹部を備えている。
【０００８】
この態様１の吸収性物品は、着用者の臀部に対応する領域となる第４領域が伸長領域を含むように構成されているため、着用者が歩行等の動作を行った際に着用者の臀部が左右交互に動くことによって、吸収性物品の後方側領域において吸収性物品の長手方向を軸として吸収性物品が捩じれる方向（以下、単に「捩じれる方向」ということがある。）に力が加わったとしても、前記伸長領域が、着用者の動きに合わせて、伸長可能な長手方向だけでなく、前記長手方向を軸として捩じれる方向にも変形することにより、当該伸長領域を含む第４領域が着用者の肌面に密着した状態を維持することができる（すなわち、優れた着用感を得ることができる）とともに、上述の捩じれる方向の力が前記伸長領域の変形によって緩衝されて、着用者の排泄口に対応する（或いは接触する）領域（少なくとも第２領域）に伝達されにくくなる。
さらに、本態様１の吸収性物品は、着用者の排泄口に対応する（或いは接触する）領域となる第２領域が低伸長領域（すなわち、変形しにくい領域）を含むように構成されているため、着用者の動作等による影響が比較的少ない当該第２領域においては、前記本体部の形状を維持しやすく（すなわち、前記本体部の形状が変形しにくく）、着用者から排出された排泄液を長時間に亘って安定的に吸収することができる。
また、態様１の吸収性物品は、前記低伸長領域が少なくとも前記幅方向中央軸線の両側において、前記本体部の長手方向に延在し且つ他の部分よりも高密度の底部を有する複数の線状凹部を備えているため、着用者の動作によって吸収性物品の後方側領域に吸収性物品が捩じれる方向の力が加わったり、或いは、着用者の鼠蹊部によって前記本体部の幅方向に力が加わったりするような場合でも、着用者の排泄口に対応する領域の特に中心部分となる領域（すなわち、前記線状凹部によって挟まれた領域）においては、硬さの硬い線状凹部の剛性によって前記本体部の形状がより維持されやすく、着用者から排出された排泄液をより安定的に、より着実に吸収することができる。さらに、前記線状凹部によって挟まれた領域では、前記本体部内の吸収性材料が、前記線状凹部によって区画されていて、当該領域から移動しにくくなっているため、前記本体部（特に、着用者の排泄口に対応する領域）の吸収性能を良好且つ安定的に発揮することができる。
以上の結果、本態様１の吸収性物品は、優れた着用感と高い吸収性能とを両立させることができる。
【０００９】
また、本発明の別の態様（態様２）では、前記態様１の吸収性物品において、前記第３領域は、前記第２領域の前記低伸長領域から延びる低伸長領域と、当該低伸長領域に対して前記本体部の長手方向の両側に位置し且つ前記第４領域の前記伸長領域から延びる伸長領域と、を有し、さらに、前記第３領域における前記低伸長領域は、前記第２領域における前記低伸長領域の前記複数の線状凹部の各々から延びる複数の線状凹部を有する。
【００１０】
この態様２の吸収性物品は、前記低伸長領域が前記第２領域から前記第３領域に跨って存在しており、前記本体部の変形しにくい領域をより広く確保することができるため、着用者から排出された排泄液を更に安定的に、確実に吸収することができる。また、前記本体部は、前記第３領域における前記低伸長領域に対して前記本体部の長手方向の両側に、前記第４領域から延びる前記伸長領域を有しているため、着用者の歩行等の動作によって吸収性物品の後方側領域から上述の捩じれる方向の力が伝達してきたり、或いは、着用者の鼠蹊部によって前記本体部の幅方向に力が加わったりするような場合でも、前記第３領域における前記伸長領域の変形によってこれらの力を緩衝することができる。それにより、本態様２の吸収性物品は、前記本体部の第２領域及び第３領域における幅方向中央部分（すなわち、低伸長領域（特に、前記複数の線状凹部に挟まれた低伸長領域））の形状がより維持されやすくなるため、着用者から排出された排泄液を更に安定的に且つ確実に吸収することができる。
【００１１】
更に本発明の別の態様（態様３）では、前記態様１又は２の吸収性物品において、前記第１領域は、前記第２領域の前記低伸長領域から延びる低伸長領域を含む。
【００１２】
この態様３の吸収性物品は、前記低伸長領域が前記第２領域から前記第１領域に跨って存在しており、前記本体部の形状が維持されやすい（すなわち、変形しにくい）領域を更に広く確保することができるため、特に、着用者の動作や下着の伸び等による影響が比較的少ない、前記本体部における長手方向の前方側の領域においては、前記本体部の形状を維持しやすく、着用者から排出された排泄液を長時間に亘ってより安定的に、より確実に吸収することができる。
【００１３】
更に本発明の別の態様（態様４）では、前記態様１〜３のいずれかの吸収性物品において、前記第４領域は、前記後方側端縁部と前記伸長領域との間に位置する前記低伸長領域を含む。
【００１４】
この態様４の吸収性物品において、前記第４領域内の、前記後方側端縁部と前記伸長領域との間の領域は、着用者の動作や下着の伸び等による影響が比較的少ない部分であり、このような領域に低伸長領域が配置されていると、吸収性物品として優れた強度及び吸収性能を確保することができる。
【００１５】
更に本発明の別の態様（態様５）では、前記態様１〜４のいずれかの吸収性物品において、前記本体部は、厚さ方向の肌面側に位置する液透過性の表面シートと、厚さ方向の非肌面側に位置する液不透過性の裏面シートと、これら各シートの間に位置し且つ前記第１領域から前記第４領域に亘って延在する吸収体と、を備え、前記吸収体は、前記伸長領域において前記本体部の幅方向に延びる複数のスリット部を有する。
【００１６】
この態様５の吸収性物品は、前記本体部を構成する吸収体が前記伸長領域において前記本体部の幅方向に延びる複数のスリット部を有しているため、着用者が歩行等の動作を行った際に、前記伸長領域が、着用者の動き（特に、臀部における左右交互の動き）や下着の伸び等に合わせて、伸長可能な長手方向だけでなく、上述の捩じれる方向にも変形しやすく、前記伸長領域を含む領域を、より精度よく且つより確実に着用者の肌面に密着させることができる。
さらに、吸収性物品の本体部の厚みの大部分を占める吸収体が複数のスリット部を有していることで、吸収体はもとより、前記本体部に優れた柔軟性（特に、厚さ方向及び幅方向における柔軟性）を付与することができるため、吸収性物品として更に優れた身体適合性（すなわち、フィット性）を得ることができる。
【００１７】
更に本発明の別の態様（態様６）では、前記態様５の吸収性物品において、前記複数のスリット部は、平面視にて、前記本体部の長手方向に隣接するスリット部同士が前記長手方向において一部重複するように配置されている。
【００１８】
この態様６の吸収性物品は、前記伸長領域における複数のスリット部が、平面視にて、前記本体部の長手方向に隣接するスリット部同士が前記長手方向において一部重複するように配置されているため（換言すれば、前記伸長領域における複数のスリット部が、平面視にて、前記本体部の長手方向に隣接するスリット部同士が前記長手方向において完全に重複しないように配置されているため）、前記伸長領域が着用者の動作等によって前記長手方向や上述の捩じれる方向に変形した際に、前記吸収体がスリット部において引き裂かれて、前記吸収体が長手方向に千切れるというようなことが起こりにくくなる。
また、前記吸収体において、前記スリット部が存在しない部分は、所定の吸収性能を発揮することができるため、複数のスリット部が前記伸長領域において上記のように配置されていると、所定の吸収性能を発揮することができる部分が前記伸長領域において偏在せず、当該伸長領域においても所定の吸収性能を発揮することができる。
したがって、本態様６の吸収性物品は、前記伸長領域によって奏される上述の作用効果をより確実に発揮することができるとともに、当該伸長領域における吸収性能も安定して発揮することができる。
【００１９】
更に本発明の別の態様（態様７）では、前記態様５又は６の吸収性物品において、前記吸収体は、前記伸長領域において、前記複数のスリット部が存在するスリット部存在領域と、スリット部が存在しないスリット部非存在領域と、を有し、さらに、前記スリット部非存在領域は、平面視にて、前記吸収体の幅方向の一端から他端に向けて前方側に延びる第１非存在領域と、前記第１非存在領域と交差し且つ前記吸収体の幅方向の一端から他端に向けて後方側に延びる第２非存在領域とを有していて、前記スリット部存在領域は、前記第１非存在領域と前記第２非存在領域とによって囲まれた領域に存在する。
【００２０】
この態様７の吸収性物品は、前記伸長領域において、吸収体が上記特定の２方向に延びるスリット部非存在領域を有することで、吸収体としての強度及び吸収性能を十分に確保しつつ、当該スリット部非存在領域に囲まれたスリット部存在領域を有することで、吸収体の伸長範囲をより長くすることができるため、着用者の動作等が大きいような場合でも、良好な吸収性能を維持しつつ、前記本体部を確実に着用者の肌面に密着させることができる。
【００２１】
更に本発明の別の態様（態様８）では、前記態様５〜７のいずれかの吸収性物品において、前記表面シートは、前記伸長領域において、前記幅方向に延び且つ前記長手方向に所定間隔で並ぶ複数本の直線状の凸条部と、隣り合う凸条部の間に位置し且つ前記幅方向に延びる複数本の直線状の凹溝部とによって構成された伸長可能な凹凸構造を有する。
【００２２】
この態様８の吸収性物品は、表面シートが前記伸長領域において上述の伸長可能な凹凸構造を有しているため、前記本体部の伸長領域が、着用者の動きに合わせてより一層変形しやすく、前記伸長領域を含む領域が着用者の肌面に密着した状態を、より確実に実現することができる（すなわち、吸収性物品の着用感を更に向上させることができる）とともに、吸収性物品の後方側領域に掛かる上述の捩じれる方向の力が、着用者の排泄口に対応する（或いは接触する）領域（少なくとも第２領域）に更に伝達されにくくなる。
【００２３】
更に本発明の別の態様（態様９）では、前記態様５〜８のいずれかの吸収性物品において、前記裏面シートは、前記伸長領域において前記本体部の長手方向に延在する蛇腹構造を有する。
【００２４】
この態様９の吸収性物品は、液不透過性の裏面シートが前記伸長領域において蛇腹構造を有しているため、裏面シートの液不透過性という特性によって着用者の排泄液に対する防漏性を確保しつつ、伸長可能な蛇腹構造によって前記伸長領域の長手方向における伸長性をより確実に得ることができる。
加えて、上述のように、吸収体に複数のスリット部が形成されていると、着用者から排出された排泄液が前記スリット部を介して前記裏面シートに到達しやすくなるが、本態様９の吸収性物品は、前記裏面シートに到達した排泄液を蛇腹構造の幅方向に延びる溝部に沿って前記幅方向に拡散することができる。これにより、着用者から排出された排泄液が前記スリット部を介して裏面シートに到達したとしても、当該排泄液を、前記裏面シートにおいて幅方向に拡散させつつ、前記吸収体の非肌面側表面の広範囲の箇所から吸収させることができる。
さらに、前記裏面シートが上述の蛇腹構造を有していると、吸収性物品の厚さ方向において柔軟性やクッション性等を付与することができるため、吸収性物品の着用感を更に向上させることができる。
また、裏面シートが前記伸長領域において蛇腹構造を有していると、当該領域が伸長可能な部分であることを視認しやすいため、着用者や需要者等に対して、本態様９の吸収性物品が伸長性や柔軟性等に特に優れた製品であることを認識させやすいという利点もある。
【００２５】
更に本発明の別の態様（態様１０）では、前記態様５〜９のいずれかの吸収性物品において、前記裏面シートは、少なくとも前記第２領域において略平坦な構造を有している。
【００２６】
この態様１０の吸収性物品は、前記裏面シートが、少なくとも前記第２領域における前記低伸長領域において、略平坦な構造を有しているため（すなわち、折れ起点となり得る構造的要素を有していないため）、当該第２領域における前記本体部の形状が更に維持されやすく、着用者から排出された排泄液をより安定的に吸収することができる。
【発明の効果】
【００２７】
本発明によれば、優れた着用感と高い吸収性能とを兼ね備えた吸収性物品を提供することができる。
【図面の簡単な説明】
【００２８】
【図１】図１は、本発明の一実施形態に係る生理用ナプキン１を展開した状態で表面シート側から厚さ方向に見た平面図である。
【図２】図２は、本発明の一実施形態に係る生理用ナプキン１を展開した状態で裏面シート側から厚さ方向に見た平面図である。
【図３】図３は、本発明の一実施形態に係る生理用ナプキン１における図１の長手方向に延びる幅方向中央軸線ＣＬに沿った断面の端面図である。
【図４】図４は、本発明の一実施形態に係る生理用ナプキン１における図１のＩＶ−ＩＶ線に沿った断面の断面図である。
【図５】図５は、本発明の一実施形態に係る生理用ナプキン１に用いられる吸収体２２の伸長していない状態（自然状態）の平面図である。
【図６】図６は、本発明の一実施形態に係る生理用ナプキン１に用いられる吸収体２２の伸長状態の平面図である。
【図７】図７は、本発明の一実施形態に係る生理用ナプキン１の伸長状態における図１の長手方向に延びる幅方向中央軸線ＣＬに沿った断面の端面図である。
【発明を実施するための形態】
【００２９】
以下、本発明の吸収性物品の好適な実施形態について、図面を参照しながら詳細に説明する。なお、本明細書においては、特に断りのない限り、「展開した状態で水平面上に置いた対象物（例えば、吸収性物品、本体部、吸収体等）を、垂直方向の上方側から対象物の厚さ方向に見ること」を、単に「平面視」という。
【００３０】
本明細書において用いられる各種方向等については、特に断りのない限り、以下のとおりである。
本明細書において、「幅方向Ｗ」は、「平面視における縦長の対象物の長さの短い方向（短手方向）」を指し、「長手方向Ｌ」は、「平面視における縦長の対象物の長さの長い方向」を指し、「厚さ方向Ｔ」は、「展開した状態で水平面上に置いた対象物に対して垂直方向」を指し、これらの幅方向Ｗ、長手方向Ｌ及び厚さ方向Ｔは、それぞれ互いに直交する関係にある。
また、本明細書では、「吸収性物品の長手方向Ｌにおいて、着用者が吸収性物品を着用した際に着用者の腹部に対して相対的に近位側となる一方側」を、「吸収性物品の前方側」といい、「吸収性物品の長手方向Ｌにおいて、着用者が吸収性物品を着用した際に着用者の腹部に対して相対的に遠位側（すなわち、着用者の背部に対して相対的に近位側）となる他方側」を、「吸収性物品の後方側」という。
さらに、本明細書では、「縦長の対象物（例えば、吸収性物品、本体部、吸収体等）の幅方向Ｗにおいて、長手方向Ｌに延びる幅方向中央軸線ＣＬに対して相対的に近位側」を「幅方向における内方側」といい、「前記縦長の対象物の幅方向Ｗにおいて、前記幅方向中央軸線ＣＬに対して相対的に遠位側」を「幅方向における外方側」という。
そして、本明細書では、特に断りのない限り、吸収性物品の厚さ方向Ｔにおいて、「吸収性物品の着用時に、着用者の肌面に対して相対的に近位側」を「肌面側」といい、「吸収性物品の着用時に、着用者の肌面に対して相対的に遠位側」を「非肌面側」という。
【００３１】
図１は、本発明の一実施形態に係る生理用ナプキン１を展開した状態で表面シート側から厚さ方向Ｔに見た平面図であり、図２は、前記生理用ナプキン１を展開した状態で裏面シート側から厚さ方向Ｔに見た平面図である。なお、図１及び図２において、図面の上方側が、吸収性物品の前方側に相当し、図面の下方側が、吸収性物品の後方側に相当する。
また、図３は、前記生理用ナプキン１における、図１の長手方向Ｌに延びる幅方向中央軸線ＣＬに沿った断面の端面図であり、図４は、前記生理用ナプキン１における、図１のＩＶ−ＩＶ線に沿った断面の断面図である。
【００３２】
図１及び図２に示すように、本実施形態に係る生理用ナプキン１は、平面視にて、全体の外形形状が長手方向Ｌに長い縦長の形状を有していて、さらに、前記長手方向Ｌにおける中央部分の前方側寄りの外縁が、幅方向Ｗの外方側に向かって略台形状に突出した形状を有している。具体的には、生理用ナプキン１は、平面視にて、長手方向及び幅方向を有する、長手方向Ｌに長い縦長の本体部２と、該本体部２の長手方向Ｌにおける中央部分の前方側寄りの位置において、前記本体部２の長手方向Ｌの両側に延在する、一対の略台形状のフラップ部３、３’と、該一対のフラップ部３、３’の各々に配置された、長手方向Ｌに延びる一対の着衣固定用の粘着部４、４’と、を備えている。
【００３３】
前記本体部２は、図３及び図４に示すように、厚さ方向Ｔにおいて、肌面側に位置する液透過性の表面シート２１と、非肌面側に位置する液不透過性の裏面シート２３と、これら各シートの間に位置するとともに幅方向Ｗに延びる複数のスリット部Ｓを有する吸収体２２と、前記裏面シート２３の非肌面側の表面において幅方向Ｗに延びるストライプ状等の任意の形態で配置され且つ長手方向Ｌに延在する、本体部２の着衣固定用粘着部(不図示）と、を備えていて、着用者から排出された排泄液を吸収及び保持することができるように構成されている。一方、前記フラップ部３、３’は、図１、図２及び図４に示すように、厚さ方向Ｔにおいて、肌面側に位置し且つ前記本体部２から幅方向Ｗに延出された表面シート２１と、非肌面側に位置し且つ前記本体部２から幅方向Ｗに延出された裏面シート２３と、前記裏面シート２３の非肌面側の表面に配置された、長手方向Ｌに延びる着衣固定用の粘着部４、４’と、を備えている。
なお、生理用ナプキン１は、着用する際に、本体部２を該本体部２の非肌面側の表面に配置された着衣固定用粘着部（不図示）によって着用者の着衣の肌面側の表面に固定した後、一対のフラップ部３、３’をそれぞれ前記着衣の非肌面側に折り返して、各フラップ部３、３’の非肌面側の表面に配置された粘着部４、４’によって前記着衣の非肌面側の表面に固定して使用するものであるため、前記一対のフラップ部３、３’の非肌面側の表面は、生理用ナプキン１の着用時には、着用者の肌面に対向する面となる。
【００３４】
前記本体部２は、図１に示すように、平面視にて、生理用ナプキン１の着用時に着用者の前方側（腹部側）に位置する長手方向Ｌの前方側端縁部５と、生理用ナプキン１の着用時に着用者の後方側（背部側）に位置する長手方向Ｌの後方側端縁部６と、前記一対のフラップ部３、３’の各粘着部４、４’の長手方向Ｌにおける両端部７、８、７’、８’のうち前記前方側端縁部５に対して近位側に位置する一対の第１端部７、７’を含む第１仮想直線Ｌ１と前記前方側端縁部５との間に延在する第１領域Ａ１と、前記一対の粘着部４、４’の各々の長手方向中央部を含む第２仮想直線Ｌ２と前記第１仮想直線Ｌ１との間に延在する第２領域Ａ２と、前記一対の粘着部４、４’の長手方向Ｌにおける両端部７、８、７’、８’のうち前記後方側端縁部６に対して近位側に位置する一対の第２端部８、８’を含む第３仮想直線Ｌ３と前記第２仮想直線Ｌ２との間に延在する第３領域Ａ３と、前記第３仮想直線Ｌ３と前記後方側端縁部６との間に延在する第４領域Ａ４と、を有している。
なお、本実施形態に係る生理用ナプキン１では、図１に示すように、本体部２の前記前方側端縁部５及び前記後方側端縁部６は、それぞれ略円弧状の平面視形状を有していて、上述の各領域Ａ１〜Ａ４は、前記前方側端縁部５及び前記後方側端縁部６の間において帯状乃至略矩形状に延在している。
【００３５】
そして、前記第４領域Ａ４は、図１に示すように、少なくとも長手方向Ｌに伸長可能である伸長領域Ｅ４を含み、前記第２領域Ａ２は、平面視にて前記本体部２の長手方向Ｌに延びる幅方向中央軸線ＣＬを跨って延在し且つ前記伸長領域Ｅ４よりも低い伸長率を有する又は非伸長である低伸長領域Ｎ２を含むように構成されている。
さらに、前記第２領域Ａ２の低伸長領域Ｎ２は、図１、図２及び図４に示すように、平面視にて、前記幅方向中央軸線ＣＬの両側において前記本体部２の長手方向Ｌに延在し且つ他の部分よりも高密度の底部を有する２本の線状凹部Ｐ、Ｐ’を備えている。
なお、本実施形態において吸収体２２は、図１〜図３に示すように、前記第１領域Ａ１から前記第４領域Ａ４に亘って延在するように配置されている。
【００３６】
ここで、本明細書において、「伸長」とは、ＪＩＳ  Ｌ  １９１３：２０１０の「６．３引張強さ及び伸び率」に記載の方法に従って対象物を相反する所定の２方向に５．０Ｎの力で引っ張ったときに、破断することなく、自然状態（すなわち、伸びる前の状態）の長さ（１００％）に対して３％以上伸びること（すなわち、伸長後の長さが１０３％以上となるように伸びること）を意味する。
さらに、本明細書において、「伸長可能」とは、ＪＩＳ  Ｌ  １９１３：２０１０の「６．３引張強さ及び伸び率」に記載の方法に従って対象物を相反する所定の２方向に５．０Ｎの力で引っ張ったときに、破断することなく、自然状態（すなわち、伸びる前の状態）の対象物の長さ（１００％）に対して３％以上伸びる（すなわち、引張後の長さが１０３％以上となるように伸びる）ことができることをいう。したがって、本明細書において、（少なくとも長手方向に伸長可能である）「伸長領域」とは、ＪＩＳ  Ｌ  １９１３：２０１０の「６．３引張強さ及び伸び率」に記載の方法に従って対象領域を長手方向の相反する２方向に５．０Ｎの力で引っ張ったときに、破断することなく、自然状態（すなわち、伸びる前の状態）の領域の長さ（１００％）に対して３％以上伸びる領域（すなわち、伸長後の領域の長さが１０３％以上となるように伸びる領域）を意味する。
また、本明細書において、「伸長率」とは、ＪＩＳ  Ｌ  １９１３：２０１０の「６．３引張強さ及び伸び率」に記載の方法に従って対象物を相反する所定の２方向に５．０Ｎの力で引っ張ったときに、伸びた対象物の長さ（すなわち、伸長後の長さ）の自然状態（すなわち、伸びる前の状態）の長さに対する増加率（％）を意味し、具体的には、次式によって求めることができる。
伸長率（％）＝［（対象物の伸長後の長さ（ｍｍ））−（対象物の自然状態の長さ（ｍｍ））］／（対象物の自然状態の長さ（ｍｍ））×１００
そして、本明細書において、「非伸長」とは、ＪＩＳ  Ｌ  １９１３：２０１０の「６．３引張強さ及び伸び率」に記載の方法に従って対象物を相反する所定の２方向に５．０Ｎの力で引っ張ったときに、破断することなく、自然状態の対象物の長さに対して３％以上伸びないことを意味する。したがって、「非伸長」は、自然状態の対象物の長さに対して３％以上伸びずに破断することのほかに、自然状態の対象物の長さ（１００％）に対して３％未満伸びること（すなわち、伸長後の長さが１０３％未満となる「極小伸長」）も含まれる。
なお、本明細書において、「低伸長領域」は、「伸長領域」に対して相対的に伸長率の低い領域を指し、この低伸長領域には、相対的に伸長率の低い伸長領域のほか、非伸長領域も含まれる。
【００３７】
本実施形態に係る生理用ナプキン１は、着用時に着用者の臀部に対応する領域となる第４領域Ａ４が、伸長領域Ｅ４を含むように構成されているため、着用者が歩行等の動作を行った際に着用者の臀部が左右交互に動くことによって、生理用ナプキン１の後方側領域において生理用ナプキン１の長手方向Ｌを軸として生理用ナプキン１が捩じれる方向に力が加わったとしても、前記伸長領域Ｅ４が、着用者の動きに合わせて、伸長可能な長手方向Ｌだけでなく、当該長手方向Ｌを軸として捩じれる方向にも変形することにより、前記伸長領域Ｅ４を含む第４領域Ａ４が着用者の肌面に密着した状態を維持することができる（すなわち、優れた着用感を得ることができる）とともに、上述の捩じれる方向の力が前記伸長領域Ｅ４の変形によって緩衝されて、着用者の排泄口に対応する（或いは接触する）領域（少なくとも第２領域Ａ２）に伝達されにくくなる。
さらに、本実施形態に係る生理用ナプキン１は、着用者の排泄口に対応する（或いは接触する）領域となる第２領域Ａ２が低伸長領域Ｎ２を含むように構成されているため、着用者の動作等による影響が比較的少ない第２領域Ａ２においては、前記本体部２の形状を維持しやすく（すなわち、前記本体部２の形状が変形しにくく）、着用者から排出された経血等の排泄液を長時間に亘って安定的に吸収することができる。
【００３８】
本発明の吸収性物品において、前記本体部は、上述の伸長領域の長手方向Ｌにおける伸長率が１０％以上であることが好ましい。
当該伸長率が１０％以上であると、上述の伸長領域がより変形しやすい状態にあるため、上述の伸長領域による作用効果、すなわち、着用者が歩行等の動作を行った際に、上述の伸長領域が、着用者の動き（特に、臀部における左右交互の動き）や下着の伸び等に合わせて、伸長可能な長手方向Ｌだけでなく、上述の捩じれる方向にも変形することにより、前記伸長領域を含む第４領域を、より精度よく着用者の肌面に密着させることができるという作用効果を、より良好に且つより確実に発揮することができる。
なお、上述の伸長率が高いと、生理用ナプキンを貼り付ける下着（特に、ショーツ）の伸長率との差異が小さくなるため、生理用ナプキンを、着用者の動き及び下着の動きに対してより連動させやすくすることができる、すなわち、着用感に優れたものとすることができるという利点もある。特に、ショーツへの取付けやすさ、ショーツへの馴染みやすさという点では、ＪＩＳ  Ｌ  １９１３：２０１０の「６．３引張強さ及び伸び率」に記載の方法に従って対象物を相反する所定の２方向に０．５Ｎの力で引っ張ったときに、３％以上伸長できることが好ましい。
【００３９】
また、本実施形態に係る生理用ナプキン１は、前記第２領域Ａ２の低伸長領域Ｎ２が前記幅方向中央軸線ＣＬの両側において前記本体部２の長手方向Ｌに延在し且つ他の部分よりも高密度の底部を有する２本の線状凹部Ｐ、Ｐ’を備えているため、着用者の動作によって生理用ナプキン１の後方側領域に生理用ナプキン１が捩じれる方向の力が加わったり、或いは、着用者の鼠蹊部によって前記本体部２の幅方向Ｗに力が加わったりするような場合でも、着用者の排泄口に対応する領域の特に中心部分となる領域（すなわち、前記２本の線状凹部Ｐ、Ｐ’によって挟まれた領域）においては、硬さの硬い線状凹部Ｐ、Ｐ’の剛性によって前記本体部２の形状がより維持されやすく、着用者から排出された経血等の排泄液をより安定的に、より着実に吸収することができる。さらに、前記２本の線状凹部Ｐ、Ｐ’によって挟まれた領域では、前記本体部２内の後述する吸収性材料が前記２本の線状凹部Ｐ、Ｐ’によって区画されていて、当該領域から移動しにくくなっているため、前記本体部２（特に、着用者の排泄口に対応する領域）の吸収性能を良好且つ安定的に発揮することができる。
【００４０】
本実施形態において、前記線状凹部Ｐ、Ｐ’は、前記本体部２を構成する、表面シート２１、吸収体２２及び裏面シート２３をこの順に重ねてなる積層体を、加熱又は非加熱のエンボス加工等の任意の圧搾手段を用いて、前記表面シート２１の肌面側の表面から厚さ方向Ｔに圧搾することにより形成することができる。
【００４１】
本発明において、前記線状凹部の平面視形状は、特に制限されず、上述の実施形態のような曲線を組み合わせた形状のほか、直線状、破線状、ジグザグ状、幾何学形状、所定のデザイン形状等の任意の形状を採用することができる。
また、上述の実施形態では、前記２本の線状凹部Ｐ、Ｐ’は、平面視にて、前記幅方向中央軸線ＣＬの両側において、前記本体部２の長手方向Ｌに沿って前記第１領域Ａ１から前記第４領域Ａ４に跨って左右対称に配置されているが、本発明においては、上述の線状凹部によって挟まれた低伸長領域の形状が保持され得る限り、その配置形態は特に制限されず、例えば、前記線状凹部は、前記幅方向中央軸線ＣＬの両側において合計３本以上配置されていてもよく、前記本体部２の長手方向Ｌに沿って、前記第１領域Ａ１から前記第４領域Ａ４に跨って配置されていても或いは前記第２領域Ａ２及び前記第３領域Ａ３のみに跨って配置されていてもよい。このような本体部の剛性を高める線状凹部が複数本配置されていると、前記本体部の形状がより一層維持されやすくなる。
なお、前記線状凹部は、低伸長領域の形状維持及び伸長領域の伸長性の確保等の観点から、後述する吸収体のスリット部と厚さ方向Ｔに重ならない位置（すなわち、伸長領域と重ならない位置）に配置されることが好ましい。
【００４２】
以下、本実施形態に係る生理用ナプキン１の伸長領域及び低伸長領域について、更に詳細に説明する。
本実施形態に係る生理用ナプキン１は、図１に示すように、前記第３領域Ａ３が、前記第２領域Ａ２の前記低伸長領域Ｎ２から長手方向Ｌの後方側に延びる低伸長領域Ｎ３と、当該低伸長領域Ｎ３に対して前記本体部２の長手方向Ｌの両側に位置し且つ前記第４領域Ａ４の前記伸長領域Ｅ４から長手方向Ｌの前方側に延びる伸長領域Ｅ３と、を有していて、さらに、前記第３領域Ａ３における前記低伸長領域Ｎ３は、前記第２領域Ａ２における前記低伸長領域Ｎ２の前記線状凹部Ｐ，Ｐ’の各々から長手方向Ｌの後方側に延びる複数の線状凹部を備えるように構成されている。
かかる構成は、本発明の吸収性物品においては必須の構成ではないものの、このように低伸長領域が前記第２領域Ａ２から前記第３領域Ａ３に跨って存在していると、前記本体部２の変形しにくい領域を更に広く確保することができるため、着用者から排出された経血等の排泄液をより安定的に、より確実に吸収することができる。また、前記本体部２は、前記第３領域Ａ３の低伸長領域Ｎ３に対して前記本体部２の長手方向Ｌの両側に、前記第４領域Ａ４から長手方向Ｌの前方側に延びる伸長領域Ｅ３を有しているため、着用者の歩行等の動作によって生理用ナプキン１の後方側領域から上述の捩じれる方向の力が伝達してきたり、或いは、着用者の鼠蹊部によって前記本体部２の幅方向Ｗに力が加わったりするような場合でも、前記第３領域Ａ３の伸長領域Ｅ３の変形によってこれらの力を緩衝することができる。それにより、かかる構成を備えた生理用ナプキン１は、前記本体部２の第２領域Ａ２及び第３領域Ａ３における幅方向中央部分（すなわち、低伸長領域Ｎ２、Ｎ３（特に、前記２本の線状凹部Ｐ、Ｐ’に挟まれた低伸長領域））の形状が更に維持されやすくなるため、着用者から排出された経血等の排泄液をより安定的に、且つ確実に吸収することができる。
【００４３】
また、本実施形態に係る生理用ナプキン１は、図１に示すように、前記第１領域Ａ１が、前記第２領域Ａ２の前記低伸長領域Ｎ２から長手方向Ｌの前方側に延びる低伸長領域Ｎ１を含むように構成されている。
かかる構成は、本発明の吸収性物品においては必須の構成ではないものの、このように低伸長領域が前記第２領域Ａ２から前記第１領域Ａ１に跨って存在していると、前記本体部２の形状が維持されやすい（すなわち、変形しにくい）領域を更に広く確保することができるため、特に、着用者の動作や下着の伸び等による影響が比較的少ない、前記本体部２における長手方向Ｌの前方側の領域においては、前記本体部２の形状を維持しやすく、着用者から排出された経血等の排泄液を長時間に亘ってより安定的に、より確実に吸収することができる。
【００４４】
さらに、本実施形態に係る生理用ナプキン１は、前記第４領域Ａ４が、前記後方側端縁部６と前記伸長領域Ｅ４との間に位置する低伸長領域Ｎ４を含むように構成されている。
かかる構成も、本発明の吸収性物品においては必須の構成ではないものの、前記第４領域Ａ４内の、前記後方側端縁部６と前記伸長領域Ｅ４との間の領域は、着用者の動作や下着の伸び等による影響が比較的少ない部分であり、このような領域に低伸長領域Ｎ４が配置されていると、生理用ナプキン（吸収性物品）として優れた強度及び吸収性能を確保することができる。
【００４５】
本実施形態において、前記第３領域Ａ３及び前記第４領域Ａ４の各伸長領域Ｅ３、Ｅ４は、図１、図３及び図４に示すように、前記本体部２を構成する各種部材のうち厚みの最も厚い部材である吸収体２２の所定領域に、前記吸収体２２を厚さ方向Ｔに貫通し且つ幅方向Ｗに略直線状に延びる、複数のスリット部Ｓを設けることによって、形成されている。なお、本発明の吸収性物品において、前記伸長領域は、少なくとも長手方向Ｌに伸長可能に構成されている限り、このような態様に限定されず、例えば、前記本体部を構成する各種部材（例えば、吸収体等）の所定領域を伸長可能な材料によって構成するようにしてもよい。
【００４６】
本実施形態のように、本体部２を構成する吸収体２２が、前記第３領域Ａ３及び前記第４領域Ａ４の各伸長領域Ｅ３、Ｅ４において前記本体部２の幅方向Ｗに延びる複数のスリット部Ｓを有していると、着用者が歩行等の動作を行った際に、前記第３領域Ａ３及び前記第４領域Ａ４の各伸長領域Ｅ３、Ｅ４が、着用者の動き（特に、臀部における左右交互の動き）や下着の伸び等に合わせて、伸長可能な長手方向Ｌだけでなく、上述の捩じれる方向にも変形しやすく、当該伸長領域Ｅ３、Ｅ４を含む領域（本実施形態においては、第３領域Ａ３及び第４領域Ａ４）を、より精度よく且つより確実に着用者の肌面に密着させることができる。
さらに、生理用ナプキン１の本体部２の厚みの大部分を占める吸収体２２がこのような複数のスリット部Ｓを有していることで、吸収体２２はもとより、前記本体部２に優れた柔軟性（特に、厚さ方向Ｔ及び幅方向Ｗにおける柔軟性）を付与することができるため、生理用ナプキンとして更に優れた身体適合性（すなわち、フィット性）を得ることができる。
【００４７】
以下に、上述の複数のスリット部Ｓが設けられた吸収体２２について、図面を参照しながら更に詳細に説明する。
図５は、本実施形態に係る生理用ナプキン１に用いられる吸収体２２の伸長していない状態（自然状態）の平面図であり、図６は、生理用ナプキン１に用いられる吸収体２２の伸長状態の平面図である。また、図７は、本実施形態に係る生理用ナプキン１の伸長状態における図１の長手方向に延びる幅方向中央軸線ＣＬに沿った断面の端面図である。
【００４８】
本実施形態において、吸収体２２は、上述の複数のスリット部Ｓが形成されていること以外は、特に制限されず、吸収性物品の技術分野において公知の任意の吸収体を用いることができる。そのような吸収体としては、例えば、パルプ等の吸水性繊維及び／又は高吸収性ポリマーを含む吸収性材料を、少なくとも１枚のティッシュ等の液透過性の被覆シート（「コアラップシート」ということがある。）によって囲繞したものなどが挙げられる。
なお、本発明の吸収性物品において、吸収体の厚みは、特に制限されず、吸収性物品の種類や用途、着用対象者の種類等を考慮した任意の厚みを採用することができる。そのような厚みとしては、例えば、０．１ｍｍ〜１０ｍｍの範囲内の厚みが挙げられるが、吸収性物品の薄型化や柔軟性、フィット性等の観点から、０．３ｍｍ〜３ｍｍの範囲内の厚みが好ましい。
【００４９】
本実施形態における吸収体２２は、図５に示すように、前記複数のスリット部Ｓが、平面視にて、前記本体部２の長手方向Ｌに隣接するスリット部Ｓ同士が前記長手方向Ｌにおいて一部重複するように配置されている（換言すれば、複数のスリット部Ｓが、平面視にて、前記本体部２の長手方向Ｌに隣接するスリット部Ｓ同士が前記長手方向Ｌにおいて完全に重複しないように配置されている）。前記伸長領域Ｅ３、Ｅ４において複数のスリット部Ｓがこのように配置されていると、生理用ナプキン１における前記伸長領域Ｅ３、Ｅ４が着用者の動作等によって長手方向Ｌや上述の捩じれる方向に変形した際に、前記吸収体２２がスリット部Ｓにおいて引き裂かれて、前記吸収体２２が長手方向Ｌに千切れるというようなことが起こりにくくなる。また、前記吸収体２２において、前記スリット部Ｓが存在しない部分は、所定の吸収性能を発揮することができるため、複数のスリット部Ｓが前記伸長領域Ｅ３、Ｅ４において上記のように配置されていると、所定の吸収性能を発揮することができる部分が前記伸長領域Ｅ３、Ｅ４において偏在せず、当該伸長領域Ｅ３、Ｅ４においても所定の吸収性能を発揮することができる。
したがって、かかる構成を備えた生理用ナプキン１は、前記伸長領域Ｅ３、Ｅ４によって奏される上述の作用効果をより確実に発揮することができるとともに、当該伸長領域Ｅ３、Ｅ４における吸収性能も安定して発揮することができる。
【００５０】
また、前記吸収体２２における複数のスリット部Ｓは、図５に示すように、前記伸長領域Ｅ３、Ｅ４において所定数のスリット部Ｓが存在する、複数のスリット部存在領域ＡＳと、前記伸長領域Ｅ３、Ｅ４においてスリット部Ｓが存在しないスリット部非存在領域ＡＮと、を有するように配置されていて、さらに、前記スリット部非存在領域ＡＮは、平面視にて、前記吸収体２２の幅方向Ｗの一端（図５における左側の一端）から他端（図５における右側の一端）に向けて前方側（図５における上方側）に延びる第１非存在領域ＡＮ１と、前記第１非存在領域ＡＮ１と交差し且つ前記吸収体２２の幅方向Ｗの一端（図５における左側の一端）から他端（図５における右側の一端）に向けて後方側（図５における下方側）に延びる第２非存在領域ＡＮ２とから構成されており、前記スリット部存在領域ＡＳは、前記第１非存在領域ＡＮ１と前記第２非存在領域ＡＮ２とによって囲まれた領域、或いは前記第１非存在領域ＡＮ１と前記第２非存在領域ＡＮ２と前記吸収体２２の長手方向Ｌに延びる幅方向端縁ｅ１、ｅ２とよって囲まれた領域に存在している。
【００５１】
前記伸長領域Ｅ３、Ｅ４において、吸収体２２が上記特定の２方向に延びるスリット部非存在領域ＡＮを有することで、当該伸長領域Ｅ３、Ｅ４においても吸収体としての強度及び吸収性能を十分に確保しつつ、さらに、当該スリット部非存在領域ＡＮに囲まれたスリット部存在領域ＡＳを有することで、図６及び図７に示すように、吸収体２２を、全体的に均等に、且つ、より長い伸長範囲を以て長手方向Ｌに伸長させることができるため、着用者の動作等が大きいような場合でも、良好な吸収性能を維持しつつ、前記本体部２の非伸長領域Ｎ１〜Ｎ３を更に確実に着用者の肌面に密着させることができる。
【００５２】
本発明の吸収性物品において、前記複数のスリット部の配置態様は、前記本体部の伸長領域が長手方向Ｌに伸長可能に形成される限り上述の実施形態の態様に限定されず、例えば、前記複数のスリット部は、所定数のスリット部が存在するスリット部存在領域が、碁盤の目状に設けられたスリット部非存在領域に囲まれた領域の各々に配置されていてもよいし、長手方向Ｌ又は幅方向Ｗに沿って複数本設けられたストライプ状のスリット部非存在領域の、各スリット部非存在領域の間に挟まれた領域の各々に配置されていてもよい。
さらに、前記複数のスリット部は、前記伸長領域の全域に亘って所定のパターンを以て配置されていてもよく、このような配置形態を採用する場合は、複数のスリット部が前記吸収体の幅方向Ｗの全長に亘って一直線上に並ばないように配置することが好ましい。複数のスリット部をこのように配置すると、一直線上に並ぶ複数のスリット部がミシン目の切り取り線のように作用して吸収体が裂けるというようなことを防ぐことができる。
【００５３】
また、本実施形態の生理用ナプキン１において、スリット部Ｓは、図５等に示すように、平面視にて幅方向Ｗに延びる略直線状の貫通孔として形成されているが、本発明の吸収性物品においてはこのような態様に限定されず、スリット部は、本発明の効果を損なわない範囲内で、任意の平面視形状を有していてもよい。そのようなスリット部の平面視形状としては、例えば、円弧状、Ｖ字形、波形、ジグザグ形等の形状が挙げられる。
【００５４】
本実施形態の生理用ナプキン１において、前記本体部２の幅方向Ｗに延びるスリット部Ｓの長さ（すなわち、スリット部の幅方向長さ）は、前記本体部２の伸長領域を少なくとも長手方向Ｌに伸長することができる限り特に制限されないが、好ましくは３ｍｍ〜５０ｍｍの範囲内であり、更に好ましくは５ｍｍ〜１５ｍｍの範囲内である。スリット部Ｓの長さが３ｍｍ以上であると、前記本体部２の伸長領域Ｅ３、Ｅ４を十分に長手方向Ｌに伸長させることができるとともに、前記本体部２の伸長領域Ｅ３、Ｅ４を、長手方向Ｌを軸として捩じれる方向に更に変形しやすくすることができ、さらには、吸収体２２ないし本体部２に適度な柔軟性を付与することができる。また、スリット部Ｓの長さが５０ｍｍ以下であると、吸収体２２が幅方向Ｗの外方側などから力を受けた際に、スリット部Ｓが開口して裂けてしまうというようなことが起こりにくく、吸収性物品として良好な耐久性を確保することができる。
【００５５】
本発明において、吸収体に複数のスリット部を形成する手段は、特に制限されず、任意の切断手段を採用することができる。例えば、複数のスリット部を有する吸収体は、任意の製造方法により製造された吸収体の前駆体を、ベルトコンベア等の搬送手段によって搬送しながら、前記前駆体の上面に、回転する切断ロールの周面上に設けられた複数の切断刃を押し当てて貫通させることにより、製造することができる。なお、切断ロールの切断刃の配置を適宜調節することにより、複数のスリット部を所定の配置形態で吸収体に形成することができる。
【００５６】
次に、本実施形態に係る生理用ナプキン１において、前記本体部２の長手方向Ｌの両側に延在する、一対の略台形状のフラップ部３、３’について、更に詳細に説明する。
上述したように、前記一対のフラップ部３、３’は、前記本体部２から幅方向Ｗに延出された表面シート２１と、前記本体部２から幅方向Ｗに延出された裏面シート２３とによって構成されていて、各フラップ部３、３’の非肌面側の表面（すなわち、裏面シート２３の非肌面側の表面）には、図１、図２及び図４に示すように、長手方向Ｌに延びる略矩形状の着衣固定用の粘着部４、４’が設けられている。
そして、本実施形態に係る生理用ナプキン１においては、この一対の粘着部４、４’の長手方向Ｌにおける両端部７、８、７’、８’のうち、前記前方側端縁部５に対して近位側に位置する一対の第１端部７、７’を含む第１仮想直線Ｌ１と、前記後方側端縁部６に対して近位側に位置する一対の第２端部８、８’を含む第３仮想直線Ｌ３との間に延在する、前記第２領域Ａ２及び前記第３領域Ａ３が、着用者の排泄口に対応する（或いは接触する）領域となるように構成されている。
したがって、本発明の吸収性物品では、前記フラップ部における一対の粘着部は、吸収性物品の種類や用途、着用対象者の種類、着衣への固定性等を考慮した任意の寸法形状で、各フラップ部の非肌面側の表面に配置される。上述の実施形態に係る生理用ナプキン１の場合、前記フラップ部３、３’における一対の粘着部４、４’は、例えば、長手方向Ｌの長さが１０ｍｍ〜１５０ｍｍの範囲内、幅方向Ｗの長さが５ｍｍ〜５０ｍｍの範囲内である略矩形状の平面視形状を有する態様で、各フラップ部３、３’の非肌面側の表面に配置されている。
【００５７】
なお、本発明の吸収性物品において、着衣固定用の粘着部を形成する粘着剤は、特に制限されず、例えば、スチレン系ポリマー等を含む任意の粘着剤を用いることができる。
【００５８】
また、本実施形態に係る生理用ナプキン１において、前記一対のフラップ部３、３’は、図１及び図４に示すように、平面視にて、前記本体部２から幅方向Ｗに延出された表面シート２１と、前記本体部２から幅方向Ｗに延出された裏面シート２３とによって構成された、一対の略台形状の平面視形状を有しているが、本発明の吸収性物品において、前記一対のフラップ部の形態は、このような形態に限定されず、前記一対のフラップ部は、例えば、平面視形状が上述の略台形状以外の形状（例えば、矩形状、半楕円状、所定のデザイン形状等）で形成されていてもよく、また、前記本体部とは異なるシート状部材（すなわち、本体部を構成する表面シート及び裏面シートとは異なるシート状部材）によって構成されていてもよい。
【００５９】
以下、本実施形態に係る生理用ナプキン１において、前記本体部２及び前記一対のフラップ部３、３’を構成する表面シート２１及び裏面シート２３について、更に詳細に説明する。
【００６０】
本実施形態に係る生理用ナプキン１において、表面シート２１は、図１、図３及び図４に示すように、生理用ナプキン１の厚さ方向Ｔの肌面側において、生理用ナプキン１の長手方向Ｌに延びる幅方向中央軸線ＣL上に配置されていて、着用者の肌面に直に接触し得る液透過性のシート部材によって構成されている。このような表面シート２１を構成する液透過性のシート部材は、特に制限されず、例えば、セルロース繊維や親水化処理を施した熱可塑性樹脂繊維等を用いて形成されたエアスルー不織布等の任意の不織布などを好適に用いることができる。
【００６１】
中でも、本発明の吸収性物品の表面シートとして用いられるシート部材は、前記本体部の伸長領域に対応する領域が少なくとも長手方向Ｌに伸長可能となるように構成された不織布を用いることが好ましい。そのような不織布としては、例えば、前記本体部の伸長領域に対応する領域が伸長可能な弾性繊維によって構成された不織布や、前記本体部の伸長領域に対応する領域が後述する伸長可能な凹凸構造によって構成された不織布などが挙げられる。
このような不織布を表面シートに用いることによって、前記本体部の伸長領域が、着用者の動きに合わせてより一層変形しやすくなるため、前記伸長領域を含む領域（本実施形態においては、第３領域Ａ３及び第４領域Ａ４）が着用者の肌面に密着した状態を、より確実に実現することができるとともに、吸収性物品の後方側領域に掛かる上述の捩じれる方向の力が、着用者の排泄口に対応する（或いは接触する）領域（少なくとも第２領域）に更に伝達されにくくなる。
【００６２】
また、本発明の吸収性物品において、表面シートは、後述する裏面シートに比べて、より高い伸長性を有している（すなわち、裏面シートに比べて、より小さい力で伸長させることができる）ことが好ましい。表面シートが裏面シートに比べてより高い伸長性を有していると、伸長変形後の収縮時において、表面シートが裏面シートよりも収縮しやすくなるため、吸収性物品が、表面シート側の表面が窪んだ構造（いわゆる、カップ状の構造）に変形しやすく、着用者の身体形状や下着（特に、ショーツ）の形状に沿わせやすくなる。
【００６３】
なお、本発明の吸収性物品において、表面シートの寸法形状は、当該表面シートの非肌面側に配置される吸収体の肌面側表面の全面を被覆することができるものであれば、特に制限されず、吸収性物品の着用対象者の大きさや性別、用途などに応じて、任意の寸法形状を採用することができる。さらに、表面シートの厚みについても、特に制限されず、例えば、０．００１ｍｍ〜５．０ｍｍの範囲内の厚みを採用することができるが、液透過性、クッション性、肌触りなどの観点から、好ましくは０．０１ｍｍ〜３．０ｍｍの範囲内であり、更に好ましくは０．１ｍｍ〜１．０ｍｍの範囲内である。
【００６４】
本発明の吸収性物品において、表面シートの構造は、特に制限されず、例えば、肌面側及び非肌面側の両面が共に略平坦な構造を有していてもよいが、前記表面シートは、前記本体部の伸長領域に対応する領域が、伸長可能な凹凸構造を有していることが好ましい。このような伸長可能な凹凸構造としては、例えば、平面視にて、表面シートの幅方向Ｗに延び且つ長手方向Ｌに所定間隔で並ぶ複数本の直線状の凸条部と、隣り合う凸条部の間に位置し且つ表面シートの幅方向Ｗに延びる複数本の直線状の凹溝部とによって構成された、長手方向Ｌに沿った断面形状が略波形状となる（すなわち、凸条部の内部が空洞となる）凹凸構造などが挙げられる。ここで、前記凸条部は、前記表面シートの厚さ方向Ｔにおいて、前記表面シートの肌面側の表面が肌面側に突出した構造を有し、前記凹溝部は、前記表面シートの厚さ方向Ｔにおいて、前記表面シートの肌面側の表面が非肌面側に窪んだ構造を有する。
【００６５】
このような伸長可能な凹凸構造を有する不織布を吸収性物品の表面シートに用いると、前記本体部の伸長領域が、着用者の動きに合わせてより一層変形しやすくなるため、前記伸長領域を含む領域（本実施形態においては、第３領域Ａ３及び第４領域Ａ４）が着用者の肌面に密着した状態を、より確実に実現することができる（すなわち、吸収性物品の着用感を更に向上させることができる）とともに、吸収性物品の後方側領域に掛かる上述の捩じれる方向の力が、着用者の排泄口に対応する（或いは接触する）領域（少なくとも第２領域）に更に伝達されにくくなる。
【００６６】
また、上述の伸長可能な凹凸構造において、凸条部の高さ（すなわち、凸条部の頂部を含む水平面と凹溝部の底部を含む水平面との間の距離）は、特に制限されず、例えば、０．１ｍｍ〜１．２ｍｍの範囲内の高さを採用することができるが、伸長性や肌触り、クッション性等の観点から、好ましくは０．２ｍｍ〜１．０ｍｍの範囲内であり、更に好ましくは０．４ｍｍ〜０．８ｍｍの範囲内である。
なお、凸条部の高さは、レーザー変位計（例えば、キーエンス株式会社製  高精度２次元レーザー変位計ＬＪ−Ｇシリーズ（型式：ＬＪ−Ｇ０３０））を使用して、次のように非接触方式で測定することができる。１００ｍｍ×１００ｍｍのサイズに切り出した表面シートのサンプルを水平な測定台の上に載置し、異なる５つの凸条部について、測定台からの変位をレーザー変位計で測定し、５つの測定値の平均値を凸条部の厚み（ｍｍ）とする。同様に、異なる５つの凹溝部について、測定台からの変位をレーザー変位計で測定し、５つの測定値の平均値を凹溝部の厚み（ｍｍ）とする。前記凸条部の厚み（ｍｍ）と前記凹溝部の厚み（ｍｍ）との差から、凸条部の高さ（ｍｍ）を算出する。
【００６７】
さらに、上述の伸長可能な凹凸構造のピッチ（すなわち、隣り合う２本の凸条部の頂部中心（稜線）同士の間隔（ｍｍ））についても、特に制限されず、例えば、０．５ｍｍ〜５．０ｍｍの範囲内のピッチを採用することができるが、伸長性や肌触り等の観点から、好ましくは１．０ｍｍ〜４．０ｍｍの範囲内である。
なお、この凹凸構造のピッチは、無加圧状態における表面シートの平面写真又は平面画像に基づいて、隣り合う２本の凸条部の頂部中心（稜線）同士の間隔（ｍｍ）として測定することができる。
【００６８】
本発明の吸収性物品において、表面シートの構造として採用し得る伸長可能な凹凸構造は、上述の態様に限定されず、例えば、上述の凹凸構造の凸条部及び凹溝部が、平面視にて、部分的に吸収性物品の幅方向Ｗ以外の方向（例えば、吸収性物品の幅方向Ｗから所定角度傾いた方向など）に延在する態様や、少なくとも部分的に方向を変化させながら（例えば、波状やジグザグ状など）延在する態様、少なくとも部分的に吸収性物品の幅方向Ｗに非連続的（すなわち、断続的）に延在する態様、少なくとも部分的に隣り合う２本の凸条部の間隔が一定ではない態様、特許第５８２９３４９号公報や特許第５８２９３２６号公報に開示されているような複数の凸部（畝部）と、複数の凹部を有する溝部とによって構成された態様、或いは、これらの態様の２つ以上の態様を任意に組み合わせた態様とすることができる。
このように凸条部及び凹溝部の延在する方向や形態を適宜設定することによって、前記本体部における伸長領域の変形の態様などを任意に調節することができ、着用者の多様な行動パターンに対応した製品設計を実現することができる。
【００６９】
表面シートに上述のような伸長可能な凹凸構造を形成する方法は、特に制限されず、例えば、繊維ウェブに連続的に気体（通常はエア）を吹き付けることによって断面形状が波形の凹凸構造を形成する方法や、真空成形を利用する方法、ギア延伸を利用する方法、熱伸長性繊維の熱伸長及び／又は熱収縮性繊維の熱収縮を利用する方法などの任意の方法を採用することができる。
【００７０】
本実施形態に係る生理用ナプキン１において、裏面シート２３は、図１〜図４に示すように、生理用ナプキン１の厚さ方向Ｔの非肌面側において、生理用ナプキン１の長手方向Ｌに延びる幅方向中央軸線ＣL上に配置されていて、着用者から排出された経血等の排泄液の漏洩を防ぐ液不透過性のシート部材によって構成されている。このような裏面シート２３を構成する液不透過性のシート部材は、特に制限されず、例えば、通気性を有するポリエチレンやポリプロピレン等の樹脂フィルム、該樹脂フィルムに不織布を貼り合わせた積層体などを好適に用いることができる。
【００７１】
中でも、本発明の吸収性物品の裏面シートとして用いられるシート部材は、前記本体部の伸長領域に対応する領域が少なくとも長手方向Ｌに伸長可能となるように構成された液不透過性のシート部材を用いることが好ましい。そのようなシート部材としては、例えば、少なくとも前記本体部の伸長領域に対応する領域が伸長可能な弾性材料によって構成されたシート部材や、前記本体部の伸長領域に対応する領域が後述する伸長可能な蛇腹構造によって構成されたシート部材などが挙げられる。
このようなシート部材を裏面シートに用いることで、シート部材の液不透過性という特性によって着用者の排泄液に対する防漏性を確保しつつ、上述の伸長可能な構成（蛇腹構造等）によって前記本体部の伸長領域が、着用者の動きに合わせてより一層変形しやすくなるため、前記伸長領域を含む領域（本実施形態においては、第３領域Ａ３及び第４領域Ａ４）が着用者の肌面に密着した状態を、より確実に実現することができる（すなわち、吸収性物品の着用感を更に向上させることができる）とともに、吸収性物品の後方側領域に掛かる上述の捩じれる方向の力が、着用者の排泄口に対応する（或いは接触する）領域（少なくとも第２領域）に更に伝達されにくくなる。
【００７２】
なお、本発明の吸収性物品において、裏面シートの寸法形状は、着用者から排出された排泄液の漏洩を防ぐことができるものであれば、特に制限されず、吸収性物品の着用対象者の大きさや性別、用途などに応じて、任意の寸法形状を採用することができる。さらに、裏面シートの厚みについても、特に制限されず、例えば、０．００１ｍｍ〜５．０ｍｍの範囲内の厚みを採用することができるが、液不透過性や柔軟性、通気性などの観点から、好ましくは０．００３ｍｍ〜３．０ｍｍの範囲内であり、更に好ましくは０．０１ｍｍ〜１．０ｍｍの範囲内である。
【００７３】
また、本発明の吸収性物品において、裏面シートの構造は、特に制限されず、例えば、肌面側及び非肌面側の両面が共に略平坦な構造を有していてもよいが、前記裏面シートは、図２及び図３に示す本実施形態に係る生理用ナプキン１の裏面シート２３のように、前記本体部の伸長領域において前記本体部の長手方向Ｌに延在する蛇腹構造を有していることが好ましい。
【００７４】
本実施形態に係る生理用ナプキン１おいて、前記裏面シート２３に形成された蛇腹構造Ｂは、図２及び図３に示すように、平面視にて、前記裏面シート２３の幅方向Ｗに延び且つ長手方向Ｌに所定間隔で並ぶ複数本の直線状の凸部Ｂ１と、隣り合う凸部Ｂ１の間に位置し且つ裏面シート２３の幅方向Ｗに延びる複数本の直線状の溝部Ｂ２とによって構成されていて、長手方向Ｌに沿った断面形状が略ジグザグ状の形状となっている。ここで、前記凸部Ｂ１は、前記裏面シート２３の厚さ方向Ｔにおいて、前記裏面シート２３の肌面側の表面が肌面側に突出した構造を有し、前記溝部Ｂ２は、前記裏面シート２３の厚さ方向Ｔにおいて、前記裏面シート２３の肌面側の表面が非肌面側に窪んだ構造を有している。
【００７５】
このように液不透過性の裏面シート２３が前記本体部２の伸長領域において蛇腹構造Ｂを有していると、裏面シート２３の液不透過性という特性によって着用者の排泄液に対する防漏性を確保しつつ、伸長可能な蛇腹構造Ｂによって前記本体部２の伸長領域の長手方向における伸長性をより確実に得ることができるため、前記伸長領域を含む領域（本実施形態においては、第３領域Ａ３及び第４領域Ａ４）が着用者の肌面に密着した状態を、より確実に実現することができる（すなわち、吸収性物品の着用感を更に確実に向上させることができる）とともに、吸収性物品の後方側領域に掛かる上述の捩じれる方向の力が、着用者の排泄口に対応する（或いは接触する）領域（少なくとも第２領域）に更に伝達されにくくなる。
【００７６】
加えて、上述のように、吸収体２２に複数のスリット部Ｓが形成されている本実施形態のような場合は、通常、着用者から排出された経血等の排泄液がスリット部Ｓを介して裏面シート２３に到達しやすくなるが、裏面シート２３に上述のような蛇腹構造Ｂが形成されていると、前記裏面シート２３に到達した排泄液を前記蛇腹構造Ｂの幅方向Ｗに延びる溝部Ｂ２に沿って幅方向Ｗに拡散することができる。これにより、着用者から排出された排泄液が前記スリット部Ｓを介して裏面シート２３に到達したとしても、当該排泄液を、前記裏面シート２３において幅方向Ｗに拡散させつつ、前記吸収体２２の非肌面側表面の広範囲の箇所から吸収させることができる。
【００７７】
また、吸収性物品の裏面シートが上述のような蛇腹構造を有していると、吸収性物品の厚さ方向Ｔにおいて、柔軟性やクッション性等を付与することができるため、当該吸収性物品の着用感を更に向上させることができる。
さらに、裏面シートが前記本体部の伸長領域において蛇腹構造を有していると、当該領域が伸長可能な部分であることを視認しやすいため、着用者や需要者等に対して、本発明の吸収性物品が伸長性やフィット性、柔軟性等に特に優れた製品であることを認識させやすいという利点もある。
【００７８】
上述の蛇腹構造において、凸部の高さ（すなわち、凸部の頂部を含む水平面と溝部の底部（最深部）を含む水平面との間の距離）は、特に制限されず、例えば、０．１ｍｍ〜１．２ｍｍの範囲内の高さを採用することができるが、伸長性やクッション性、液の拡散性等の観点から、好ましくは０．２ｍｍ〜１．０ｍｍの範囲内であり、更に好ましくは０．４ｍｍ〜０．８ｍｍの範囲内である。
なお、前記凸部の高さは、上述の表面シートにおける伸長可能な凹凸構造の凸条部の高さと同様にして測定することができる。
【００７９】
さらに、上述の蛇腹構造のピッチ（すなわち、隣り合う２本の凸部の頂部中心（稜線）同士の間隔（ｍｍ））についても、特に制限されず、例えば、０．５ｍｍ〜５．０ｍｍの範囲内のピッチを採用することができるが、伸長性やクッション性、液の拡散性等の観点から、好ましくは１．０ｍｍ〜４．０ｍｍの範囲内である。
なお、この蛇腹構造のピッチは、無加圧状態における裏面シートの平面写真又は平面画像に基づいて、隣り合う２本の凸部の頂部中心（稜線）同士の間隔（ｍｍ）として測定することができる。
【００８０】
本発明の吸収性物品において、裏面シートの構造として採用し得る蛇腹構造は、上述の態様に限定されず、例えば、上述の蛇腹構造の凸部及び溝部が、平面視にて、少なくとも部分的に吸収性物品の幅方向Ｗ以外の方向（例えば、吸収性物品の幅方向Ｗから所定角度傾いた方向など）に延在する態様や、少なくとも部分的に方向を変化させながら（例えば、波状やジグザグ状など）延在する態様、少なくとも部分的に吸収性物品の幅方向Ｗに非連続的（すなわち、断続的）に延在する態様、少なくとも部分的に隣り合う２本の凸部の間隔が一定ではない態様、或いは、これらの態様の２つ以上の態様を任意に組み合わせた態様とすることができる。
このように凸部及び溝部の延在する方向や形態を適宜設定することによって、前記本体部における伸長領域の変形の態様などを任意に調節することができ、着用者の多様な行動パターンに対応した製品設計を実現することができる。
【００８１】
裏面シートに上述のような蛇腹構造を形成する方法は、特に制限されず、例えば、真空成形を利用する方法やギア延伸を利用する方法などの任意の方法を採用することができる。
【００８２】
また、本発明の吸収性物品において、前記裏面シートの低伸長領域における構造は、特に制限されないが、前記裏面シートは、図２及び図３に示す本実施形態に係る生理用ナプキン１の裏面シート２３のように、前記本体部の低伸長領域において、肌面側及び非肌面側の両面が共に略平坦な構造を有していることが好ましい。
裏面シートが、前記本体部の低伸長領域（特に、少なくとも前記第２領域における低伸長領域）において、略平坦な構造を有している（すなわち、折れ起点となり得る構造的要素を有していない）と、当該低伸長領域における本体部の形状が更に維持されやすくなるため、着用者から排出された排泄液をより安定的に吸収することができる。
【００８３】
なお、本実施形態に係る生理用ナプキン１において、上述の表面シート２１及び裏面シート２３は、吸収体２２を間に挟んだ状態で、各シートの外周端縁部が、接着剤、ヒートシール、超音波接合等の任意の接合手段によって互いに接合されている。
【００８４】
本発明において、吸収性物品の構成は、上述の実施形態に限定されず、例えば、表面シートと吸収体との間及び／又は吸収体と裏面シートとの間に、排泄液を拡散するための補助シート等を備えていてもよい。
このように、本発明の吸収性物品は、上述した実施形態に制限されることなく、本発明の目的、趣旨を逸脱しない範囲内において、適宜組み合わせや変更等が可能である。
【００８５】
また、本発明は、上述した実施形態の生理用ナプキンのほかに、例えば、パンティライナー、（軽）失禁パッド等の様々な吸収性物品に適用することができる。なお、本明細書において、「第１」、「第２」等の序数は、当該序数が付された事項を区別するためのものであり、各事項の順序や優先度、重要度等を意味するものではない。
【符号の説明】
【００８６】
１    生理用ナプキン（吸収性物品）
２    本体部
２１    表面シート
２２    吸収体
２３    裏面シート
３、３’    フラップ部
４、４’    粘着部
５    前方側端縁部
６    後方側端縁部
【図１】
2017119052.tif 000003
【図２】
2017119052.tif 000004
【図３】
2017119052.tif 000005
【図４】
2017119052.tif 000006
【図５】
2017119052.tif 000007
【図６】
2017119052.tif 000008
【図７】
2017119052.tif 000009
【手続補正書】
【提出日】平成29年4月14日(2017.4.14)
【手続補正１】
【補正対象書類名】特許請求の範囲
【補正対象項目名】全文
【補正方法】変更
【補正の内容】
【特許請求の範囲】
【請求項１】
長手方向及び幅方向を有する縦長の本体部と、該本体部の長手方向の両側に延在する一対のフラップ部と、該一対のフラップ部の各々に配置された、長手方向に延びる一対の着衣固定用の粘着部と、を備えた吸収性物品であって、
前記本体部は、
吸収性物品の着用時に着用者の前方側に位置する長手方向の前方側端縁部と、
吸収性物品の着用時に着用者の後方側に位置する長手方向の後方側端縁部と、
平面視にて、前記一対の粘着部の長手方向における両端部のうち前記前方側端縁部に対して近位側に位置する一対の第１端部を含む第１仮想直線と前記前方側端縁部との間に延在する第１領域と、
前記一対の粘着部の各々の長手方向中央部を含む第２仮想直線と前記第１仮想直線との間に延在する第２領域と、
前記一対の粘着部の長手方向における両端部のうち前記後方側端縁部に対して近位側に位置する一対の第２端部を含む第３仮想直線と前記第２仮想直線との間に延在する第３領域と、
前記第３仮想直線と前記後方側端縁部との間に延在する第４領域と、を有していて、
前記第４領域は、少なくとも長手方向に伸長可能である伸長領域を含み、
前記第２領域は、平面視にて前記本体部の長手方向に延びる幅方向中央軸線を跨って延在し且つ前記伸長領域よりも低い長手方向の伸長率を有する又は長手方向に非伸長である低伸長領域を含み、
さらに、前記低伸長領域は、平面視にて少なくとも前記幅方向中央軸線の両側において前記本体部の長手方向に延在し且つ他の部分よりも高密度の底部を有する複数の線状凹部を備え、
前記第３領域は、前記第２領域の前記低伸長領域から延びる低伸長領域と、当該低伸長領域に対して前記本体部の長手方向の両側に位置し且つ前記第４領域の前記伸長領域から延びる伸長領域と、を有し、さらに、前記第３領域における前記低伸長領域は、前記第２領域における前記低伸長領域の前記複数の線状凹部の各々から延びる複数の線状凹部を有する、
前記吸収性物品。
【請求項２】
前記第１領域は、前記第２領域の前記低伸長領域から延びる低伸長領域を含む、請求項１に記載の吸収性物品。
【請求項３】
前記第４領域は、前記後方側端縁部と前記伸長領域との間に位置する前記低伸長領域を含む、請求項１又は２に記載の吸収性物品。
【請求項４】
前記本体部は、厚さ方向の肌面側に位置する液透過性の表面シートと、厚さ方向の非肌面側に位置する液不透過性の裏面シートと、これら各シートの間に位置し且つ前記第１領域から前記第４領域に亘って延在する吸収体と、を備え、前記吸収体は、前記伸長領域において前記本体部の幅方向に延びる複数のスリット部を有する、請求項１〜３のいずれか一項に記載の吸収性物品。
【請求項５】
前記複数のスリット部は、平面視にて、前記本体部の長手方向に隣接するスリット部同士が前記長手方向において一部重複するように配置されている、請求項４に記載の吸収性物品。
【請求項６】
前記吸収体は、前記伸長領域において、前記複数のスリット部が存在するスリット部存在領域と、スリット部が存在しないスリット部非存在領域と、を有し、さらに、前記スリット部非存在領域は、平面視にて、前記吸収体の幅方向の一端から他端に向けて前方側に延びる第１非存在領域と、前記第１非存在領域と交差し且つ前記吸収体の幅方向の一端から他端に向けて後方側に延びる第２非存在領域とを有していて、前記スリット部存在領域は、前記第１非存在領域と前記第２非存在領域とによって囲まれた領域に存在する、請求項４又は５に記載の吸収性物品。
【請求項７】
前記表面シートは、前記伸長領域において、前記幅方向に延び且つ前記長手方向に所定間隔で並ぶ複数本の直線状の凸条部と、隣り合う凸条部の間に位置し且つ前記幅方向に延びる複数本の直線状の凹溝部とによって構成された伸長可能な凹凸構造を有する、請求項４〜６のいずれか一項に記載の吸収性物品。
【請求項８】
前記裏面シートは、前記伸長領域において前記本体部の長手方向に延在する蛇腹構造を有する、請求項４〜７のいずれか一項に記載の吸収性物品。
【請求項９】
前記裏面シートは、少なくとも前記第２領域において略平坦な構造を有している、請求項４〜８のいずれか一項に記載の吸収性物品。